(57)【要約】【課題】施工した後においても竪樋が劣化することなく下方にずれるのを簡単に防止するための竪樋支持装置を提供することを目的とする。【解決手段】建物の外壁面Ｆに取付けられる竪樋支持具１と、該竪樋支持具１の真上に隣接して設けられま竪樋把持具２とからなる竪樋支持装置Ａにおいて、前記竪樋把持具２は円錐孔３１にテーパー雌ねじ３２が形成された締め付けナット３と、該締め付けナット３のテッパー雌ねじ３２に螺合するテッパー雄ねじ４２を有する締め付けリング４とからなり、締め付けリング４は竪樋５を把持する内周面４３を有するとともに一端部から他端部に向けてスリット４４が設けられている。【選択図】      図１
2005163372.tif 000002
【特許請求の範囲】
【請求項１】
建物の壁面に取付けられる竪樋支持具と、該竪樋支持具の真上に隣接して設けられる竪樋把持具とからなる竪樋支持装置において、前記竪樋把持具は円錐孔にテーパー雌ねじが形成された締め付けナットと、該締め付けナットのテッパー雌ねじに螺合するテッパー雄ねじを有する締め付けリングとからなり、締め付けリングは竪樋を把持する内周面を有するとともに一端部から他端部に向かってスリットが形成されていることを特徴とする竪樋支持装置。
【発明の詳細な説明】
【技術分野】
【０００１】
本発明は、竪樋を建物の外壁面に取付け支持する竪樋支持装置に関する。
【背景技術】
【０００２】
従来、一度施工した竪樋が下方にずり落ちないようにした竪樋支持装置として、竪樋支持具本体の直上に隣接して巻付け固定具を設けたものが知られている。この巻付け固定具は、バンド状本体を竪樋の外周に巻付けて固定するもので、バンド状本体の内周面に粘着層を形成して使用するものである。（例えば、特許文献１を参照。）。
【０００３】
また、支持金具に設けられた支持リングの上側に、竪樋を上下に接続した竪樋継手を係止して、竪樋がずり落ちないように支持する構造も知られている（例えば、特許文献２を参照。）。
【特許文献１】特開平１０−１９６０７５号公報（図１及び図４）
【特許文献２】実開平６−１４３２７号公報（図１）
【発明の開示】
【発明が解決しようとする課題】
【０００４】
しかしながら、上述のように特許文献１に記載の技術では、バンド状本体の内周面に粘着層を形成して使用するものであるので、接着部分が竪樋本体の性能を劣化させる虞があり、また、粘着剤を用いる湿式工法は施工性に問題がある。
例えば、バンド状本体を竪樋の外周に巻付けて接着固定すると、竪樋の取り外しが困難である。即ち、施工のやり直しの場合にバンド状本体を竪樋から取り外して再度高さ調整のが困難である。
【０００５】
また、特許文献２に記載の技術では、建物の外壁面に取付けられた支持金具に、上下の竪樋が接続された竪樋継手を一致させて係止する必要があり、支持金具の建物の外壁面への取付け高さ位置に制約がある。
例えば、所定長さの竪樋を竪樋継手で接続した場合、竪樋継手が支持金具とは離れてしまうことがあり、その都度、支持金具の建物への取付け位置を変更してしたり、竪樋を切断して接続長さを調整したりする必要がある。
【０００６】
本発明は上記従来の問題を解消しようとするものであり、その目的とするところは、施工した後においても竪樋が劣化することなく下方にずれるのを簡単に防止するための竪樋支持装置を提供することにある。
【課題を解決するための手段】
【０００７】
このような目的を達成するために、請求項１に記載の竪樋支持装置（以下、「本発明竪樋支持装置」と記す。）は、建物の壁面に取付けられる竪樋支持具と、該竪樋支持具の真上に隣接して設けられる竪樋把持具とからなる竪樋支持装置において、前記竪樋把持具は円錐孔にテーパー雌ねじが形成された締め付けナットと、該締め付けナットのテッパー雌ねじに螺合するテッパー雄ねじを有する締め付けリングとからなり、締め付けリングは竪樋を把持する内周面を有するとともに一端部から他端部に向かってスリットが形成されていることを特徴とした。
【発明の効果】
【０００８】
本発明竪樋支持装置によれば、建物の壁面に取付けられる竪樋支持具と、該竪樋支持具の真上に隣接して設けられる竪樋把持具とからなる竪樋支持装置において、前記竪樋把持具は円錐孔にテーパー雌ねじが形成された締め付けナットと、該締め付けナットのテッパー雌ねじに螺合するテッパー雄ねじを有する締め付けリングとからなり、締め付けリングは竪樋を把持する内周面を有するとともに一端部から他端部に向かってスリットが形成されているので、竪樋支持具を建物の壁面に取付けて竪樋支持具の真上に隣接して竪樋把持具を設けて竪樋を挿着して使用する時に、締め付けナットを締め付けると、締め付けリングが縮径して、竪樋が締め付けリングで掴まれて下方にずり落ちることがない。
【発明を実施するための最良の形態】
【０００９】
次に、本発明の実施の形態の一例を、図１〜図３に基づいて説明する。  
図１〜３は本発明の実施の形態の一例を示すもので、図１は本発明竪樋支持装置が使用された状態を説明する縦断面図、図２は本発明竪樋支持装置の締め付けナットを示す図で、同図(a) は平面図、同図(b) はＣ−Ｃ線矢視の断面図、図３は本発明竪樋支持装置の締め付けリング示す図で、同図(a) は平面図、同図(b) はＤ−Ｄ線矢視の断面図である。
【００１０】
図１において、竪樋支持装置Ａは、建物の壁面Ｆに取りつけられた竪樋支持具１と、この竪樋支持具１の上側に設けられ竪樋５を把持する竪樋把持具２とから構成されている。
【００１１】
竪樋支持具１は、竪樋５を支持する支持部１１と、建物の壁面Ｆに当接して固定される固定部１２と、前記支持部１１と固定部とを連結する連結部１３を備え、塩化ビニール樹脂等を素材として一体成形されている。
支持部１１は内側に形状が円筒状の竪樋５の外面形状とほぼ等しい樋支持面を有し、固定部１２は板状に形成されており、この板状の固定部１２の上部及び下部には固定孔１４が開口されている。
【００１２】
竪樋把持具２は締め付けナット３と、この締め付けナット３に螺合する締め付けリング４とからなる。
締め付けナット３は、図２に示すように、円錐孔３１の内周面にテーパー雌ねじ３２が形成されており、外観は円形の外周面３３を有している。
【００１３】
締め付けリング４は、図３に示すように、締め付けナット３の円錐孔３１と同じ方向に傾斜する外側円錐面４１を有しており、この外側円錐面４１にテッパー雄ねじ４２が形成されており、前記締め付けナット３のテッパー雌ねじ３２が螺合するするようになっている。
また、締め付けリング４は竪樋５を把持する内周面４３を有するとともに軸方向に沿ってスリット４４が形成されている。図中の符号４５は鍔部である。
なお、上記実施例では、スリット４４は管軸方向に沿って形成されているが、例えば、一端部から他端部に向けて管軸に対して斜めに切り欠いて形成されていてもよい。
【００１４】
次に、竪樋取付時の施工手順について説明する。
まず、竪樋支持具１の固定部１２を取付対象の建物の壁面Ｆにネジ等の固定具１５を取付けて固定する。
【００１５】
続いて、締め付けリング４に締め付けナット３を緩く螺合した状態で、竪樋５に締め付けリング４を外挿し、竪樋支持具１の支持部１１に竪樋５を挿着する。このとき、竪樋把持具２は締め付けリング４の鍔部４５が支持部１１の真上に隣接して載置される。
【００１６】
最後に、竪樋５を上下に移動して高さ位置の調整を行い、高さ位置が決定したら、締め付けナット３を締め付け、締め付けリング４を縮径させて竪樋５の外周面に締め付けリング４の内周面４４を密着させる。
【００１７】
このように、竪樋５は締め付けナット３を締め付けることにより、締め付けリング４が縮径することになり、竪樋５が締め付けリング４で掴まれて下方にずり落ちないように竪樋支持具１の上側で保持されることになる。
【００１８】
以上、一実施例について説明してきたが具体的な構成はこの実施例に限られるものではなく、本発明の要旨を逸脱しない範囲の設計変更等があっても本発明に含まれるものである。
例えば、締め付けナット３の外周面３３は円形とされているが、図４(a) 〜(c) に示すように、四角形、六角形又は両側に平行面を有する偏平形としてもよい。また、図５(a) 〜(b) に示すように、円形の外周面３に取手部３４を設けたり，切り欠き凹部３５を形成したりしてもよい。
【図面の簡単な説明】
【００１９】
図１〜３は本発明の実施の形態の一例を示すもので、図１は本発明竪樋支持装置が試用された状態を説明する縦断面図、図２は本発明竪樋支持装置の締め付けナットを示す図で、同図(a) は平面図、同図(b) はＣ−Ｃ線矢視の断面図、図３は本発明竪樋支持装置の締め付けリング示す図で、同図(a) は平面図、同図(b) はＤ−Ｄ線矢視の断面図である。
【図１】本発明竪樋支持装置が試用された状態を説明する縦断面図である。
【図２】本発明竪樋支持装置の締め付けナットを示す図で、同図(a) は平面図、同図(b) はＣ−Ｃ線矢視の断面図である。
【図３】本発明竪樋支持装置の締め付けリング示す図で、同図(a) は平面図、同図(b) はＤ−Ｄ線矢視の断面図である。
【図４】(a) 〜(c) は締め付けナットの変形例を示す平面図である。
【図５】(a) 〜(b) は締め付けナットの更に別の変形例を示す平面図である。
【符号の説明】
【００２０】
Ａ              竪樋支持装置
１              竪樋支持装置
２              竪樋把持具
３、３ａ、３ｂ、３ｃ、３ｄ、３ｅ    締め付けナット
３１            円錐孔
３２            テーパー雌ねじ
３３            外周面
４              締め付けリング
４１            外側円錐面
４２            テーパー雄ねじ
４３            内周面
５              竪樋
【図１】
2005163372.tif 000003
【図２】
2005163372.tif 000004
【図３】
2005163372.tif 000005
【図４】
2005163372.tif 000006
【図５】
2005163372.tif 000007